(57)【特許請求の範囲】
【請求項１】
桁方向に所定の間隔で鉛直荷重を支持しうる複数の構造壁が配列され、山形の勾配屋根が架けられた建物における小屋組構造であって、
外枠が略三角形状をなし、構造壁の上端で支持された一対の壁上屋根トラスと、
壁上屋根トラスと同一形状の外枠を有し、一対の壁上屋根トラスの間に配列され、両端が桁側の外周壁上端で支持された１または複数の壁間屋根トラスと、
隣接する壁上屋根トラスまたは壁間屋根トラスの中間部どうしを連結し、一方の壁上屋根トラスから他方の壁上屋根トラスにわたって一直線状かつ連続的に配列されて、壁間屋根トラス中間部を支持する複数の連結トラスと、からなることを特徴とする小屋組構造。
【請求項２】
前記連結トラスは棟位置に配設されたことを特徴とする請求項１に記載した小屋組構造。
【請求項３】
前記壁上屋根トラスの内部は鉛直荷重を壁に伝達する縦材のみで構成されたことを特徴とする請求項１または請求項２に記載した小屋組構造。
【請求項４】
前記建物は、平面視で略矩形の複数の住戸が桁方向に連なる集合住宅であり、前記構造壁は住戸間の界壁または妻面外周壁であることを特徴とする請求項１乃至請求項３に記載した小屋組構造。
【発明の詳細な説明】
【技術分野】
【０００１】
本発明は、トラスを用いた小屋組構造に関するものである。
【背景技術】
【０００２】
従来より、切妻形式・寄棟形式等の勾配屋根を有する建物の小屋組構造にトラスが用いられていた。トラスとは、上弦材、下弦材、束材、斜材等をピン接合によって組み合わせ、三角形の安定構造の集合体を形成することによって構成された構造形態である。
【０００３】
薄鋼板を曲げ加工して形成した略Ｕ字状に成形した軽量溝形鋼等からなる長尺の鋼材を縦横に組みあわて形成した枠体の表面に構造用合板等の板材を貼設して構成した構造壁、床、屋根を基本架構体とするスチールハウスにおける小屋組は、溝形鋼からなる下弦材及び一対の上弦材で山形の外枠を形成し、その内部に溝形鋼からなる複数の束材及び斜材を組み入れて屋根トラスを形成し、該屋根トラスをその両端が桁側の構造壁（外周壁）上端で支持されるように、所定の間隔で平行に複数配設し、垂木を兼ねた該屋根トラスの上弦材間に構造用合板等からなる野地板を架け渡して構成されるのが一般的である。（下記特許文献１における従来技術を参照。）
【先行技術文献】
【特許文献】
【０００４】
【特許文献１】特開平１１−１７２８３６号公報
【発明の概要】
【発明が解決しようとする課題】
【０００５】
上記従来の小屋組構造においては、野地板を支持する為の垂木を屋根トラスの中間部に配設する手間を省略する為に、また、桁方向の安定度を増す為に屋根トラスのピッチが細かく（例えば４５５ｍｍ）設定されるのが一般的であったが、このような構成の場合、使用する軽量溝形鋼の数量が多大となり、材料コストがかかるという問題があった。本発明は、このような従来技術の有する課題を解決し、より少ない部材数量で安定した架構を構成することができる小屋組構造を提供することを目的とするものである。
【課題を解決するための手段】
【０００６】
上記の課題を解決するために、本発明に係る小屋組構造は、桁方向に所定の間隔で鉛直荷重を支持しうる複数の構造壁が配列され、山形の勾配屋根が架けられた建物における小屋組構造であって、外枠が略三角形状をなし、構造壁の上端で支持された一対の壁上屋根トラスと、壁上屋根トラスと同一形状の外枠を有し、一対の壁上屋根トラスの間に配設され、両端が桁側の外周壁上端で支持された１または複数の壁間屋根トラスと、隣接する壁上屋根トラスまたは壁間屋根トラスの中間部どうしを連結し、一方の壁上屋根トラスから他方の壁上屋根トラスにわたって連続的に配設されて、壁間屋根トラス中間部を支持する複数の連結トラスと、からなることを特徴とする。
【０００７】
上記小屋組構造において、連結トラスは棟位置に配設されるのが好ましく、また、壁上トラスの内部は鉛直荷重を壁に伝達する縦材のみで構成されるのが好ましい。
また、上記小屋組構造を有する建物は、複数の略矩形の住戸が桁方向に連なる集合住宅であり、前記構造壁は住戸間の界壁または妻面外周壁であることが好ましい。
【発明の効果】
【０００８】
本発明によれば、小屋組構造を、より少ない部材数量で安定した架構で構成することができる。
【図面の簡単な説明】
【０００９】
【図１】建物の小屋組の構成を示す斜視図である。
【図２】小屋組を構成する各トラスの正面図である。
【発明を実施するための形態】
【００１０】
以下、本発明の好適な実施形態について図面を参照しながら説明する。図１に示すように、建物Ａは、前述したスチールハウスの範疇に属するものであり、平面視矩形で同一の奥行寸法を有する住戸が界壁を介して複数連接され、全体として平面視矩形をなす集合住宅として設計されている。建物Ａには切妻形式（山形）の勾配屋根が、その棟方向が住戸の連接方向と一致するようにかけられている。
【００１１】
外周壁ａ及び界壁（住戸間の境界をなす壁）ｂは、床面水平面に載置された下枠材１と、下枠材１の上に所定のピッチで立設された複数の縦枠材３と、縦枠材３の上端をつなぐ上枠材２とで構成された枠体に、構造用合板（石膏ボードなどの板材）が貼設されて構成される。外周壁ａの外部側には、更に断熱材、外壁パネルなどが付加されて仕上げられ、外周壁ａの内部側や界壁はクロスなどのシート状の内装仕上げ材や板状の内装仕上げ材にて仕上げられる。これら外周壁ａ及び界壁ｂは、鉛直荷重や水平荷重を負担し、荷重を他の部位へ伝達する機能を有する構造壁を構成している。なお、構造壁を構成する下枠材１、縦枠材２、及び上枠材３は軽量溝形鋼からなる。
【００１２】
屋根の小屋組ｃは、壁上屋根トラスｃ１、壁間屋根トラスｃ２、連結トラスｃ３、及び母屋（不図示）からなる。
壁上屋根トラスｃ１は、図２（ａ）に示すように、下弦材４と垂木を兼ねる一対の上弦材５とによって略三角形状の外枠が形成され、更に外枠内部に複数の束材６が組み入られて構成されている。壁上屋根トラスｃ１は、下弦材４の長さが建物Ａの梁間寸法に対応して設定されており、その構面が外周壁ａ及び界壁ｂの構面に一致するように、外周壁ａ及び界壁ｂの上端に載置、支持されている。
【００１３】
壁間屋根トラスｃ２は、図２（ｂ）に示すように、下弦材４と垂木を兼ねる一対の上弦材５によって壁上屋根トラスｃ１と同一形状の外枠が形成され、更に外枠内部に複数の束材６と斜材７が組み入れられて、三角形の安定構造の集合体となるように構成されている。このような構成により壁間屋根トラスｃ２は高い剛性を有している。このような構成の壁間屋根トラスｃ２は、となり合う２つの壁上屋根トラスｃ１間に、１または複数個、その両端部が桁側の外周壁ａ上端で支持されるように配列されている。
【００１４】
連結トラスｃ３は、図２（ｃ）に示すように、下弦材４、上弦材５、及び一対の端部束材６´によって矩形の外枠が形成され更に外枠内に１または複数の中間束材６と斜材７が組み入れられて構成されている。連結トラスｃ３の高さ寸法は、壁上屋根トラスｃ１及び壁間屋根トラスｃ２の高さ寸法に一致しており、連結トラスｃ３上弦材５は棟木を兼ねている。
【００１５】
複数の連結トラスｃ３は、端部束材６´を壁上屋根トラスｃ１または壁間屋根トラスｃ２の中央の頂部に位置する束材６に抱き合わせるようにして、壁上屋根トラスｃ１または壁間屋根トラスｃ２に接合され、壁間屋根トラスｃ２を挟んだ状態で、となり合う一対の壁上屋根トラスｃ１間に一直線状かつ連続的に配列されている。
各トラスｃ１、ｃ２、ｃ３を構成する下弦材４、上弦材５、束材６、斜材７等は軽量溝形鋼からなり、構成部材どうしは、直接あるいはジョイント部材を介してビス等によってピン接合されている。
【００１６】
隣接する壁上屋根トラスｃ１または壁間屋根トラスｃ２の上弦材５間には所定のピッチで母屋が架け渡され、構造用合板・木毛セメント板等からなる野地板が、その長辺が母屋で支持され、その短辺が上弦材５で支持されるように敷設され、更にシート状のルーフィング材と瓦等の屋根材が順次葺かれて屋根が完成する。
【００１７】
上記構成によれば、となり合う一対の壁上屋根トラスｃ１間に一直線状かつ連続的に配列された複数の連結トラスｃ３によって壁間屋根トラスｃ２の中間部が支持されて、壁間屋根トラスｃ２の撓みや作用する応力が低減されるとともに、壁上屋根トラスｃ１及び壁間屋根トラスｃ２の棟（桁）方向の安定度が向上するので、壁間屋根トラスｃ２の設置間隔を大きくすることができ、より少ない部材数量で安定した架構を構成することができる。
【産業上の利用可能性】
【００１８】
上記実施形態では、いわゆるスチールハウスに適用した場合を例にして説明したが、本発明に係る小屋組構造はこれに限定されるものではなく、例えば、軽量溝形鋼以外の鋼製部材を用いた建物や、ツーバイフォー材等の木質系材料を利用した建物などにも適用が可能である。
【符号の説明】
【００１９】
Ａ    建物
ａ    外周壁（構造壁）
ｂ    界壁（構造壁）
ｃ    小屋組
ｃ１  壁上屋根トラス
ｃ２  壁間屋根トラス
ｃ３  連結トラス
１    下枠材
２    上枠材
３    縦枠材
４    下弦材
５    上弦材
６    束材
６´  端部束材
７    斜材
【図１】
0005562596.tif 000002
【図２】
0005562596.tif 000003